(57)【要約】  足場用幅木１０には、左右方向に長い左側係合穴１２Ａと、右側係合穴１３Ａと、ロック溝１３ｂを形成する。第１連結具２０には、左側係合穴１２Ａに挿入されるピン２５を設ける。第２連結具３０には、右側係合穴１３Ａに挿入される係合ピン３７と、ロック溝１３ｂに挿入されるロックピン３４ａを設ける。
2015189873.tif 000002
【特許請求の範囲】
【請求項１】
仮設足場を構成する仮設足場構成部材に足場用幅木の長手方向両側をそれぞれ連結するための第１連結具及び第２連結具を備えた足場用幅木の連結具において、
上記第１連結具は、
上記仮設足場構成部材に取り付けられる第１取付部と、
上記足場用幅木に形成されて該足場用幅木の長手方向に延びるように開口し、長手方向一側の開口幅が他側の開口幅に比べて広い第１幅木側係合穴の周縁部における長手方向他側に係合する頭部を有する第１係合ピンとを備え、
上記第２連結具は、
上記仮設足場構成部材に取り付けられる第２取付部と、
上記足場用幅木に形成されて該足場用幅木の長手方向に延びるように開口し、長手方向一側に開放する第２幅木側係合穴の周縁部における長手方向他側に係合する頭部を有する第２係合ピンと、
上記足場用幅木において該足場用幅木の長手方向とは交差する方向に延びるロック溝に係合するロックピンと、
上記ロックピンを、上記ロック溝に挿入して該ロック溝に係合させる係合位置と、上記ロック溝から離脱させる離脱位置とに切り替えるためのロックピン切替部とを備えていることを特徴とする足場用幅木の連結具。
【請求項２】
長手方向両側がそれぞれ仮設足場を構成する仮設足場構成部材に対して第１連結具及び第２連結具によって連結される足場用幅木において、
上記足場用幅木の長手方向一側には、該足場用幅木の長手方向に延びるように開口し、長手方向他側の開口幅が一側の開口幅に比べて広い第１幅木側係合穴が形成され、
上記足場用幅木の長手方向他側には、該足場用幅木の長手方向に延びるように開口し、長手方向側他側に開放される第２幅木側係合穴と、上記足場用幅木の長手方向とは交差するように延びるロック溝とが形成され、
上記第１連結具が有する第１係合ピンの頭部を上記第１幅木側係合穴の周縁部における長手方向一側に係合させ、かつ、上記第２連結具が有する第２係合ピンの頭部を上記第２幅木側係合穴の周縁部に係合させた状態で、上記第２連結具が有するロックピンを上記ロック溝に係合させることによって上記仮設足場構成部材に対して連結されることを特徴とする足場用幅木。
【請求項３】
仮設足場を構成する仮設足場構成部材に足場用幅木の長手方向両側をそれぞれ連結するための第１連結具及び第２連結具を備えた足場用幅木の連結具において、
上記第１連結具は、
上記仮設足場構成部材に取り付けられる第１取付部と、
上記足場用幅木に形成されて該足場用幅木の上下方向に延びるように開口し、下側の開口幅が上側の開口幅に比べて広くなるように形成された第１穴の周縁部における上側に係合する頭部を有する第１係合ピンとを備え、
上記第２連結具は、
上記仮設足場構成部材に取り付けられる第２取付部と、
上記足場用幅木に形成されて該足場用幅木の上下方向に延びるように開口し、下側の開口幅が上側の開口幅に比べて広くなるように形成された第２穴の周縁部における上側に係合する頭部を有する第２係合ピンと、
上記足場用幅木に形成されたロック用開口部に挿入されて該ロック用開口部の周縁部に係合するロック爪と、
上記ロック爪を、上記ロック用開口部に挿入する係合位置と、上記ロック用開口部から離脱させる離脱位置とに切り替えるためのロック爪切替部とを備えていることを特徴とする足場用幅木の連結具。
【請求項４】
長手方向両側がそれぞれ仮設足場を構成する仮設足場構成部材に対して第１連結具及び第２連結具によって連結される足場用幅木において、
上記足場用幅木の長手方向一側には、上下方向に延びるように開口し、下側の開口幅が上側の開口幅に比べて広い第１穴が形成され、
上記足場用幅木の長手方向他側には、上下方向に延びるように開口し、下側の開口幅が上側の開口幅に比べて広い第２穴と、ロック用開口部とが形成され、
上記第１連結具が有する第１係合ピンの頭部を上記第１穴の周縁部における上側に係合させ、かつ、上記第２連結具が有する第２係合ピンの頭部を上記第２穴の周縁部における上側に係合させた状態で、上記第２連結具が有するロック爪を上記ロック用開口部に挿入して該ロック用開口部の周縁部に係合させることによって上記仮設足場構成部材に対して連結されることを特徴とする足場用幅木。
【請求項５】
請求項１または３に記載の足場用幅木の連結具において、
上記第１連結具及び上記第２連結具は、上記足場用幅木の傾斜角度を調整する角度調整部を有していることを特徴とする足場用幅木の連結具。
【請求項６】
請求項２または４に記載の足場用幅木において、
上記幅木の本体部は網部材で構成されていることを特徴とする足場用幅木。
【発明の詳細な説明】
【技術分野】
【０００１】
本発明は、例えば建設現場等で使用される足場用幅木及び足場用幅木を仮設足場構成部材に連結するための連結具に関するものである。
【背景技術】
【０００２】
従来より、例えば建設現場や建築物の補修現場等では、作業員が各種作業を行うための仮設足場が組み立てられる。この種の仮設足場は、パイプ部材からなる支柱や横材が組み合わされるとともに、支柱や横材に足場板が取り付けられている。仮設足場には、墜落防止等の対策のための足場用幅木を設置することが労働安全衛生規則（足場等関係）によって所定の場合に義務付けられている。【０００３】
足場用幅木を支柱に連結する構造としては、例えば特許文献１、２に開示されているものが知られている。特許文献１の足場用幅木は、長尺な板状の幅木本体と、幅木本体の下側縁部における長手方向中間部に設けられた踏み板係合金具と、幅木本体の両端部にそれぞれ設けられた支柱取付金具とを備えている。支柱取付金具は、幅木本体の長手方向に延びる回動軸と、嵌合片とを備えている。嵌合片は、コ字状に折り曲げられており、回動軸に取り付けられている。幅木を支柱に連結する際には、嵌合片を回動軸周りに回動させて支柱に引っ掛けるようにする。【０００４】
また、特許文献２の足場用幅木の連結具は、支柱に固定されるパイプクランプと、パイプクランプに角度調整可能に取り付けられたフック状の係止部とを備えている。幅木を支柱に連結する際には、パイプクランプを支柱に固定するとともに、係止部を幅木の長手方向両端部に引っ掛けるようにする。
【先行技術文献】
【特許文献】
【０００５】
【特許文献１】特開２０１０−１６８７３３号公報
【特許文献２】特開２０１０−２６１１９７号公報
【発明の概要】
【発明が解決しようとする課題】
【０００６】
ところで、足場用幅木を支柱や横材に連結する際には、仮設足場を組み立てる作業現場での作業をできるだけ簡単な作業にしたいという要求がある。一方、足場用幅木は安全のために設けるものなので、支柱等に対して確実に連結でき、外れないようにする必要がある。【０００７】
本発明は、かかる点に鑑みてなされたものであり、その目的とするところは、支柱や横材等の仮設足場構成部材に足場用幅木を連結する際の作業性を良好にするとともに、足場用幅木を仮設足場構成部材に確実に連結して足場用幅木が仮設足場構成部材から外れないようにすることにある。
【課題を解決するための手段】
【０００８】
上記目的を達成するために、第１の発明は、
仮設足場を構成する仮設足場構成部材に足場用幅木の長手方向両側をそれぞれ連結するための第１連結具及び第２連結具を備えた足場用幅木の連結具において、
上記第１連結具は、
上記仮設足場構成部材に取り付けられる第１取付部と、
上記足場用幅木に形成されて該足場用幅木の長手方向に延びるように開口し、長手方向一側の開口幅が他側の開口幅に比べて広い第１幅木側係合穴の周縁部における長手方向他側に係合する頭部を有する第１係合ピンとを備え、
上記第２連結具は、
上記仮設足場構成部材に取り付けられる第２取付部と、
上記足場用幅木に形成されて該足場用幅木の長手方向に延びるように開口し、長手方向一側に開放する第２幅木側係合穴の周縁部における長手方向他側に係合する頭部を有する第２係合ピンと、
上記足場用幅木において該足場用幅木の長手方向とは交差する方向に延びるロック溝に係合するロックピンと、
上記ロックピンを、上記ロック溝に挿入して該ロック溝に係合させる係合位置と、上記ロック溝から離脱させる離脱位置とに切り替えるためのロックピン切替部とを備えていることを特徴とする。【０００９】
この構成によれば、足場用幅木を仮設足場構成部材に連結する際、第１連結具の第１取付部及び第２連結具の第２取付部を仮設足場構成部材に取り付けておく。そして、足場用幅木の第１幅木側係合穴の開口幅の広い部分に、第１連結具の第１係合ピンの頭部を挿入し、その後、足場用幅木を長手方向に移動させて第１幅木側係合穴の周縁部における開口幅の狭い部分に頭部を係合させる。これにより、第１係合ピンが第１幅木側係合穴から抜けなくなる。また、これと同時に、第２連結具の第２係合ピンを第２幅木側係合穴の開放側から挿入して第２幅木側係合穴の周縁部に頭部を係合させる。これにより、第２係合ピンが第２幅木側係合穴から抜けなくなる。そして、ロックピンをロック溝に挿入して該ロック溝に係合させると、ロック溝が足場用幅木の長手方向とは交差するように延びているので、足場用幅木が長手方向に移動することはない。従って、第１係合ピン及び第２係合ピンが第１幅木側係合穴及び第２幅木側係合穴から抜けなくなるので、足場用幅木が仮設足場構成部材から不意に外れてしまうことはない。また、足場用幅木を長手方向に移動させてロックピンをロック溝に挿入するだけなので、連結時の作業性は良好である。【００１０】
一方、仮設足場構成部材に連結されている足場用幅木を外す際には、ロックピンをロックピン切替部によって離脱位置に切り替える。そうすると足場用幅木が長手方向に移動可能となり、足場用幅木を長手方向に移動させることで、第１係合ピンの頭部を第１幅木側係合穴の幅の広い部分から抜き、また、第２係合ピンを第２幅木側係合穴の開放側から抜くことが可能になるので、取り外し時の作業性が良好になる。【００１１】
第２の発明は、
長手方向両側がそれぞれ仮設足場を構成する仮設足場構成部材に対して第１連結具及び第２連結具によって連結される足場用幅木において、
上記足場用幅木の長手方向一側には、該足場用幅木の長手方向に延びるように開口し、長手方向他側の開口幅が一側の開口幅に比べて広い第１幅木側係合穴が形成され、
上記足場用幅木の長手方向他側には、該足場用幅木の長手方向に延びるように開口し、長手方向側他側に開放される第２幅木側係合穴と、上記足場用幅木の長手方向とは交差するように延びるロック溝とが形成され、
上記第１連結具が有する第１係合ピンの頭部を上記第１幅木側係合穴の周縁部における長手方向一側に係合させ、かつ、上記第２連結具が有する第２係合ピンの頭部を上記第２幅木側係合穴の周縁部に係合させた状態で、上記第２連結具が有するロックピンを上記ロック溝に係合させることによって上記仮設足場構成部材に対して連結されることを特徴とする。【００１２】
この構成によれば、足場用幅木を仮設足場構成部材に連結する際、第１連結具の第１係合ピンの頭部を足場用幅木の第１幅木側係合穴の開口幅の広い部分に挿入するとともに、第２連結具の第２係合ピンを足場用幅木の第２幅木側係合穴の開放側から挿入する。その後、足場用幅木を長手方向に移動させて第１幅木側係合穴の周縁部における幅の狭い部分に第１係合ピンの頭部を係合させるとともに、第２幅木側係合穴の周縁部に第２係合ピンの頭部を係合させる。【００１３】
そして、ロックピンをロック溝に挿入して該ロック溝に係合させると、ロック溝が足場用幅木の長手方向とは交差するように延びているので、足場用幅木が長手方向に移動することはない。従って、第１係合ピン及び第２係合ピンが第１幅木側係合穴及び第２幅木側係合穴から抜けなくなるので、足場用幅木が不意に外れてしまうことはない。また、足場用幅木を長手方向に移動させてロックピンをロック溝に挿入するだけなので、連結時の作業性は良好である。【００１４】
一方、仮設足場構成部材に連結されている足場用幅木を外す際には、ロックピンをロックから離脱させる。そうすると幅木が長手方向に移動可能となり、長手方向に移動させることで、第１係合ピンの頭部を第１幅木側係合穴の幅の広い部分から抜き、また、第２係合ピンを第２幅木側係合穴の開放側から抜くことが可能になるので、取り外し時の作業性が良好になる。【００１５】
第３の発明は、
仮設足場を構成する仮設足場構成部材に足場用幅木の長手方向両側をそれぞれ連結するための第１連結具及び第２連結具を備えた足場用幅木の連結具において、
上記第１連結具は、
上記仮設足場構成部材に取り付けられる第１取付部と、
上記足場用幅木に形成されて該足場用幅木の上下方向に延びるように開口し、下側の開口幅が上側の開口幅に比べて広くなるように形成された第１穴の周縁部における上側に係合する頭部を有する第１係合ピンとを備え、
上記第２連結具は、
上記仮設足場構成部材に取り付けられる第２取付部と、
上記足場用幅木に形成されて該足場用幅木の上下方向に延びるように開口し、下側の開口幅が上側の開口幅に比べて広くなるように形成された第２穴の周縁部における上側に係合する頭部を有する第２係合ピンと、
上記足場用幅木に形成されたロック用開口部に挿入されて該ロック用開口部の周縁部に係合するロック爪と、
上記ロック爪を、上記ロック用開口部に挿入する係合位置と、上記ロック用開口部から離脱させる離脱位置とに切り替えるためのロック爪切替部とを備えていることを特徴とする。【００１６】
この構成によれば、足場用幅木を仮設足場構成部材に連結する際、第１連結具の第１取付部及び第２連結具の第２取付部を仮設足場構成部材に取り付けておく。そして、足場用幅木の第１穴の下側に、第１連結具の第１係合ピンの頭部を挿入するとともに、第２穴の下側に、第２連結具の第２係合ピンの頭部を挿入する。そして、足場用幅木を下に移動させると、第１係合ピンの頭部が第１穴の上側に係合し、第２係合ピンの頭部が第２穴の上側に係合する。ロック爪をロック用開口部に係合させると幅木が上下方向に移動しなくなるので、第１係合ピン及び第２係合ピンが第１穴及び第２穴から抜けなくなる。よって、足場用幅木が不意に外れてしまうことはない。【００１７】
一方、仮設足場構成部材に連結されている足場用幅木を外す際には、ロック爪をロック爪切替部によって離脱位置に切り替える。そうすると足場用幅木が上方に移動可能な状態となり、この足場用幅木を上方に移動させることで、第１係合ピンの頭部を第１穴の幅の広い部分から抜き、また、第２係合ピンを第２穴の幅の広い部分から抜くことが可能になるので、取り外し時の作業性が良好になる。【００１８】
第４の発明は、
長手方向両側がそれぞれ仮設足場を構成する仮設足場構成部材に対して第１連結具及び第２連結具によって連結される足場用幅木において、
上記足場用幅木の長手方向一側には、上下方向に延びるように開口し、下側の開口幅が上側の開口幅に比べて広い第１穴が形成され、
上記足場用幅木の長手方向他側には、上下方向に延びるように開口し、下側の開口幅が上側の開口幅に比べて広い第２穴と、ロック用開口部とが形成され、
上記第１連結具が有する第１係合ピンの頭部を上記第１穴の周縁部における上側に係合させ、かつ、上記第２連結具が有する第２係合ピンの頭部を上記第２穴の周縁部における上側に係合させた状態で、上記第２連結具が有するロック爪を上記ロック用開口部に挿入して該ロック用開口部の周縁部に係合させることによって上記仮設足場構成部材に対して連結されることを特徴とする。【００１９】
この構成によれば、足場用幅木を仮設足場構成部材に連結する際、第１連結具の第１係合ピンの頭部を足場用幅木の第１穴の下側に挿入するとともに、第２連結具の第２係合ピンを足場用幅木の第２穴の下側から挿入する。その後、足場用幅木を下方に移動させて第１穴の周縁部における上側に第１係合ピンの頭部を係合させるとともに、第２穴の周縁部における上側に第２係合ピンの頭部を係合させる。【００２０】
そして、ロック爪をロック用開口部に挿入すると、幅木が上下方向に移動しなくなるので、第１係合ピン及び第２係合ピンが第１穴及び第２穴から抜けなくなる。よって、幅木が不意に外れてしまうことはない。【００２１】
一方、仮設足場構成部材に連結されている足場用幅木を外す際には、ロック爪をロック爪切替部によって離脱位置に切り替える。そうすると足場用幅木が上方に移動可能となり、足場用幅木を上方に移動させることで、第１係合ピンの頭部を第１穴の幅の広い部分から抜き、また、第２係合ピンを第２穴の幅の広い部分から抜くことが可能になるので、取り外し時の作業性が良好になる。【００２２】
第５の発明は、第１または３の発明において、
上記第１連結具及び上記第２連結具は、上記足場用幅木の傾斜角度を調整する角度調整部を有していることを特徴とする。【００２３】
この構成によれば、足場用幅木と作業床との隙間が小さくなるように足場用幅木の傾斜角度を調整することが可能になる。【００２４】
第６の発明は、請求項２または４の発明において、
上記幅木の本体部は網部材で構成されていることを特徴とする。【００２５】
この構成によれば、横風を受けたときの負荷を軽減することが可能になる。
【発明の効果】
【００２６】
第１〜４の発明によれば、仮設足場構成部材に足場用幅木を連結する際の作業性を良好にできるとともに、足場用幅木を仮設足場構成部材に確実に連結して足場用幅木が外れないようにすることができる。【００２７】
第５の発明によれば、足場用幅木と作業床との隙間を小さくできる。【００２８】
第６の発明によれば、足場用幅木の本体部を網部材で構成したので、横風を受けたときの負荷を軽減できる。
【図面の簡単な説明】
【００２９】
【図１】実施形態１に係る足場用幅木の連結具を用いて足場用幅木を支柱に連結した状態を説明する斜視図である。
【図２】実施形態１に係る足場用幅木の正面図である。
【図３】実施形態１に係る連結具を正面側から見た斜視図である。
【図４】実施形態１に係る連結具の正面図である。
【図５】実施形態１に係る連結具の平面図である。
【図６】実施形態１に係る連結具の側面図である。
【図７】実施形態１に係る連結具をロックピン側から見た斜視図である。
【図８】実施形態１に係る連結具をロックピンとは反対側から見た斜視図である。
【図９】実施形態１に係る足場用幅木の連結要領を示す斜視図である。
【図１０】実施形態１に係る足場用幅木を連結具に接触させた状態を示す図９相当図である。
【図１１】実施形態２に係る図１相当図である。
【図１２】実施形態２に係る図２相当図である。
【図１３】実施形態２に係る図３相当図である。
【図１４】実施形態２に係る図４相当図である。
【図１５】実施形態２に係る図５相当図である。
【図１６】実施形態２に係る図６相当図である。
【図１７】実施形態２に係る図７相当図である。
【図１８】実施形態２に係る図８相当図である。
【図１９】実施形態２に係る図９相当図である。
【図２０】実施形態２に係る図１０相当図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
（実施形態１）
図１は、本発明の実施形態１に係る連結具Ａを使用して足場用幅木１０を仮設足場１の支柱２に連結した状態を示す斜視図である。仮設足場１は、例えば建築物の新築現場の他、補修現場、リフォーム現場等において構築されるものであり、鋼管からなる支柱２及び横材３と、作業床となる足場板４と、補強部材５、６等で構成されている。支柱２、横材３、足場板４及び補強部材５、６は足場構成部材である。尚、足場用幅木１０及び連結具Ａにより、足場用幅木を足場構成部材に連結する足場用幅木の連結構造を構成している。
【００３２】
支柱２は、略鉛直に延びており、建築物に近い側に配置される内側の支柱２と、内側の支柱２よりも建築物から離れて配置される外側の支柱２とがある。横材３は、略水平に延びており、外側の支柱２と内側の支柱２とを連結するものである。横材３の水平方向の間隔は足場板４の長さに対応している。足場板４は、例えば鋼鈑や木製の板材等で構成することができるものである。足場板４の長手方向両端部が横材３に対して上方から引っかかるようにして連結されている。また、補強部材５は、支柱２同士を連結する筋交いとなるものである。さらに、補強部材６は、横材３を支柱２に対して支持するためのものである。
【００３３】
足場用幅木１０は、足場板４の長手方向に沿って延びる板状部材であり、足場板４の幅方向両側にそれぞれ設けられている。足場用幅木１０により、足場板４からの作業者の墜落や物の落下等を防止している。足場用幅木１０は、足場板４の上面から立ち上がるような姿勢状態とされ、支柱２に対して連結具Ａによって連結されるようになっている。
【００３４】
尚、この実施形態の説明では、足場用幅木１０の長手方向を左右方向として図１及び図２における左側を足場用幅木１０の左側とし、図１及び図２の右側を足場用幅木１０の右側とするものとする。足場用幅木１０の長手方向一側が左側、他側が右側であってもよいし、足場用幅木１０の長手方向一側が右側、他側が左側であってもよい。
【００３５】
図２にも示すように、足場用幅木１０は、左右方向に長い幅木本体１１と、幅木本体１１の左側に設けられる左側連結板部１２と、幅木本体１１の右側に設けられる右側連結板部１３とを備えている。幅木本体１１は、例えば鋼材等からなる略矩形の枠材１１ａと、枠材１１ａの内側全体に亘って設けられる網部材１１ｂと、枠材１１ａの左右方向中央部において枠材１１ａの上縁部と下縁部とを連結するように上下方向に延びる中央部材１１ｃとを有している。網部材１１ｂは、例えば金網等で構成することができる。網部材１１ｂは、金属板を刃によって切れ目を入れながら押し延ばして成形したエキスパンドメタル等で構成するのが好ましい。尚、この実施形態では網部材１１ｂとしているが、網部材１１ｂの代わりに板部材で構成してもよい。板部材は、開口部を有するものであっても開口部がないものであってもよいが、横風を受けたときの負荷を軽減することができる観点から網部材や開口部を有する板材で構成するのが好ましい。
【００３６】
左側連結板部１２は、枠部１１ａの左縁部から左側へ延出しており、例えば金属製の板材で構成することができる。左側連結板部１２は、左右方向の寸法が上下方向の寸法よりも短く設定されている。左側連結板部１２の上縁部及び下縁部は、枠材１１ａの上縁部及び下縁部と略一致する高さに位置している。左側連結板部１２の上部には、左側上部係合穴（第１幅木側係合穴）１２Ａが形成されている。左側上部係合穴１２Ａは、左側連結板部１２において左右方向に延びるように開口する長穴である。左側上部係合穴１２Ａの右側（左側上部係合穴１２Ａの長手方向一側）の上縁部及び下縁部は略円弧状に延びており、後述するピンの頭部が挿入可能な大きさとなっている。一方、左側上部係合穴１２Ａの左側（左側上部係合穴１２Ａの長手方向他側）の上縁部及び下縁部は、左右方向に延びている。左側上部係合穴１２Ａの右側の開口幅（上縁部と下縁部との離間寸法）は、左側の開口幅に比べて広く設定されている。
【００３７】
また、左側連結板部１２の下部には、左側下部係合穴（第１幅木側係合穴）１２Ｂが形成されている。左側下部係合穴１２Ｂは、左側上部係合穴１２Ａと同じ形状である。
【００３８】
右側連結板部１３は、枠部１１ａの右縁部から右側へ延出しており、例えば金属製の板材で構成することができる。右側連結板部１３は、左右方向の寸法が上下方向の寸法よりも短く設定されている。右側連結板部１３の上縁部及び下縁部は、枠材１１ａの上縁部及び下縁部と略一致する高さに位置している。
【００３９】
右側連結板部１３の上部には、右側上部係合穴（第２幅木側係合穴）１３Ａが形成されている。右側上部係合穴１３Ａは、右側連結板部１３において左右方向に延びるように開口する長穴である。右側上部係合穴１３Ａの右側（右側上部係合穴１３Ａの長手方向一側）は、右側連結板部１３の右縁部において開放されている。右側上部係合穴１３Ａの左側の開口幅と右側の開口幅とは同じに設定されている。
【００４０】
右側連結板部１３の下部には、右側下部係合穴（第２幅木側係合穴）１３Ｂが形成されている。右側下部係合穴１３Ｂは、右側上部係合穴１３Ａと同じ形状であり、右側連結板部１３の右縁部において開放されている。
【００４１】
左側上部係合穴１２Ａ及び左側下部係合穴１２Ｂの左側の開口幅と、右側上部係合穴１３Ａ及び右側下部係合穴１３Ｂの開口幅とは同じである。
【００４２】
右側連結板部１３の右側上部係合穴１３Ａと右側下部係合穴１３Ｂとの間には、溝１３Ｃが形成されている。溝１３Ｃは、右側連結板部１３の右縁部に開放し、その開放部分から左側へ延びる横溝部１３ａと、横溝部１３ａの左端部から足場用幅木１０の長手方向とは交差する方向、即ち、下方に延びるロック溝１３ｂとで構成されている。横溝部１３ａの下縁部は、横溝部１３ａの開放部分へ近づくほど下に位置するように傾斜して延びており、従って、横溝部１３ａの幅は開放部分に近づくほど広くなり、開放部分で最大幅となっている。
【００４３】
尚、一般に、足場用幅木１０は左右に連続するように設けられるものであり、図１に示す足場用幅木１０の左右両側には、図示しないが別の足場用幅木が足場用幅木１０と連続して設けられている。
【００４４】
次に、足場用幅木１の連結具Ａについて説明する。連結具Ａは、足場用幅木１の左右両側をそれぞれ支柱２、２に連結するための第１連結具２０及び第２連結具３０を備えている。第１連結具２０は足場用幅木１の左側を支柱２に連結し、第２連結具３０は足場用幅木１の右側を支柱２に連結する。第１連結具２０について主に図３〜図８に基づいて詳細に説明する。
【００４５】
第１連結具２０は、支柱２に取り付けられるパイプクランプ（第１取付部）２１と、可動板２２とを備えており、パイプクランプ２１は可動板２２の裏側に配設されている。パイプクランプ２１は、従来から周知の仮設足場の組み立て現場で使用されているクランプを用いることができる。パイプクランプ２１は、支柱２を径方向に挟むように配置される固定部材２１ａと、固定部材２１ａに対して支柱２の径方向に回動可能に連結された可動部材２１ｂとを備えており、さらに、可動部材２１ｂを固定部材２１ａに締結固定するための締結部２１ｃも備えている。
【００４６】
可動板２２は、足場用幅木１０を支持するためのものであり、パイプクランプ２１に対して傾動可能に取り付けられている。すなわち、図５や図７に示すように、可動板２２の裏側には、裏側へ突出して上下方向に延びる突板部２２ａが設けられている。突板部２２ａには、左右方向に貫通する軸孔（図示せず）が形成されている。この軸孔には、左右方向に延びる軸部を有するボルト２３が挿入されており、このボルト２３によってパイプクランプ２１の固定部材２１ａが突板部２２ａに締結固定されるようになっている。図６に示すように、ボルト２３による締結を緩めると可動板２２をボルト２３の軸部周りに傾動させることができ、可動板２２が任意の角度のあるときにボルト２３を締結することで可動板２２をパイプクランプ２１に対して固定することができる。突板部２２ａ及びボルト２３は、足場用幅木１０の傾斜角度を調整する角度調整部である。
【００４７】
図４に示すように、可動板２２は、左右方向に長い長方形の金属製板材で構成されている。可動板２２の右側の上部及び下部には、それぞれ右側上部係合ピン２５及び右側下部係合ピン２６が設けられている。図３に示すように、右側上部係合ピン２５は、可動板２２の表面から突出する軸部２５ａと、軸部２５ａの突出方向先端部に形成された頭部２５ｂとを有している。軸部２５ｂは、足場用幅木１０の左側上部係合穴１２Ａに挿入される部位である。軸部２５ｂの外径は、左側上部係合穴１２Ａの左側の開口幅よりも若干小さめに設定されており、軸部２５ｂが左側上部係合穴１２Ａの内方において左右方向に相対的に移動可能となっている。また、頭部２５ｂは略円板形状であり、可動板２２に支持された足場用幅木１０の左側上部係合穴１２Ａから可動板２２側とは反対側へ突出するようになっている。頭部２５ｂの外径は左側上部係合穴１２Ａの右側の開口幅よりも狭く、かつ、左側上部係合穴１２Ａの左側の開口幅よりも広く設定されている。従って、頭部２５ｂは左側上部係合穴１２Ａの右側から左側上部係合穴１２Ａに挿通させることができ、挿通した状態で頭部２５ｂを左側上部係合穴１２Ａの左側に位置付けると、左側上部係合穴１２Ａの周縁部の左側に係合することになる。
【００４８】
右側下部係合ピン２６は、右側上部係合ピン２５と同様に構成されており、軸部２６ａと頭部２６ｂとを有している。軸部２６ａは、足場用幅木１０の左側下部係合穴１２Ｂに挿入される部位である。
【００４９】
また、可動板２２の左側の上部及び下部には、それぞれ左側上部係合ピン２７及び左側下部係合ピン２８が設けられている。左側上部係合ピン２７は右側上部係合ピン２５と同様に構成されており、軸部２７ａと頭部２７ｂとを有している。軸部２７ａは、上述した足場用幅木１０の左側に配設される別の足場用幅木（図示せず）の右側上部係合穴に挿入される部位である。左側下部係合ピン２８は右側下部係合ピン２６と同様に構成されており、軸部２８ａと頭部２８ｂとを有している。軸部２８ａは、上述した足場用幅木１０の左側に配設される別の足場用幅木（図示せず）の右側下部係合穴に挿入される部位である。
【００５０】
可動板２２の略中央部には、支軸２２ｂが裏側へ突出するように設けられている。また、可動板２２の左側には、左側上部係合ピン２７と左側下部係合ピン２８との間に、上下方向に延びる円弧溝２２ｃが形成されている。この円弧溝２２ｃは、支軸２２ｂを中心とした円弧状に延びている。
【００５１】
可動板２２の支軸２２ｂには、左右方向に延びるアーム２４の右端部が固定されている。アーム２４は、可動板２２の裏側に配置され、支軸２２ｂ周りに回動するようになっている。アーム２４の左側は円弧溝２２ｃに対応する部位まで延びている。アーム２４の左端部には、可動板２２の表側へ突出するロックピン２４ａが設けられており、このロックピン２４ａは円弧溝２２ｃに挿入される。ロックピン２４ａは、円弧溝２２ｃに挿入された状態で支軸２２ｂ周りに回動することになるが、外力が作用しないときには自重によって円弧溝２２ｃの下縁部に当接するまで移動して該下縁部に支持される。支軸２２ｂ及びアーム２４は本発明のロックピン切替部を構成している。
【００５２】
第２連結具３０は、第１連結具２０と同じ構造であるため、詳細な構造の説明は省略する。第２連結具３０は、図１、図９及び図１０に一部のみ示すように、パイプクランプ３１と可動板３２を備え、可動板３２には、右側上部係合ピン３５及び右側下部係合ピン３６と、左側上部係合ピン３７及び左側下部係合ピン３８と、可動板３２に形成された円弧溝に沿って移動するロックピン３４ａとが設けられている。
【００５３】
次に、上記のように構成された足場用幅木１の連結具Ａを使用して足場用幅木１を支柱２、２に連結する要領について説明する。
【００５４】
まず、図９に示すように、第１連結具２０のパイプクランプ２１及び第２連結具３０のパイプクランプ３１を支柱２、２にそれぞれ取り付ける。このとき、可動板２２、３２の表面が作業床側に位置するようにしておく。
【００５５】
そして、足場用幅木１０を作業床側から第１連結具２０の可動板２２及び第２連結具３０の可動板３２に支持させる。このとき、足場用幅木１０の左側上部係合穴１２Ａ及び左側下部係合穴１２Ｂの右側の開口幅の広い部分に、第１連結具２０の右側上部係合ピン２５及び右側下部係合ピン２６を挿入する。また、足場用幅木１０の右側上部係合穴１３Ａ及び右側下部係合穴１３Ｂの右側の開放部分に、第２連結具３０の左側上部係合ピン３７及び左側下部係合ピン３８を挿入する。
【００５６】
この状態で、図１０に示すように足場用幅木１０を右側に移動させる。すると、第１連結具２０の右側上部係合ピン２５の軸部２５ａ及び右側下部係合ピン２６の軸部２６ａが足場用幅木１０の左側上部係合穴１２Ａ及び左側下部係合穴１２Ｂの左側の開口幅の狭い部分に位置することになり、これにより、右側上部係合ピン２５の頭部２５ｂ及び右側下部係合ピン２６の頭部２６ｂが、左側上部係合穴１２Ａ及び左側下部係合穴１２Ｂの周縁部の左側に対して作業床側から係合するので、右側上部係合ピン２５及び右側下部係合ピン２６が左側上部係合穴１２Ａ及び左側下部係合穴１２Ｂから抜けることはない。また、足場用幅木１０の移動により、第２連結具３０の左側上部係合ピン３７及び左側下部係合ピン３８が足場用幅木１０の右側上部係合穴１３Ａ及び右側下部係合穴１３Ｂの左側まで相対的に移動し、これにより、左側上部係合ピン３７の頭部及び左側下部係合ピン３８の頭部が、右側上部係合穴１３Ａ及び右側下部係合穴１３Ｂの周縁部の左側に対して作業床側から係合するので、左側上部係合ピン３７及び左側下部係合ピン３８が右側上部係合穴１３Ａ及び右側下部係合穴１３Ｂから抜けることはない。
【００５７】
また、足場用幅木１０を右側に移動させると、第２連結具３０のロックピン３４ａが足場用幅木１０の溝１３Ｃの横溝部１３ａに対してその開放側（右側）から入っていく。ロックピン３４ａは横溝部１３ａの下縁部に摺接して押し上げられながら可動板２２の円弧溝２２ｃ内を上方へ移動していく。足場用幅木１０を右側の移動限界まで移動させた時点で、ロックピン３４ａがロック溝１３ｂの上端部に位置付けられ、これにより、ロックピン３４ａが自重によってロック溝１３ｂ内を下方へ移動する。つまり、ロックピン３４ａがロック溝１３ｂに挿入されて該ロック溝１３ｂに係合する係合位置に切り替えられる。
【００５８】
ロック溝１３ｂは足場用幅木１０の移動方向と交差する方向に延びているので、足場用幅木１０を左右方向に移動させようとしても、ロックピン３４ａがロック溝１３ｂの縁部に係合して移動させることはできない。よって、足場用幅木１０が支柱２、２から不意に外れてしまうことはない。このように、連結時には、足場用幅木１０を左右方向に移動させてロックピン３４ａをロック溝１３ｂに挿入するだけなので、連結時の作業性は良好である。
【００５９】
足場用幅木１０の傾斜角度は、第１連結具２０の可動板２２及び第２連結具３０の可動板３２を傾動させることによって調整できる。これにより、足場用幅木１０と作業床との隙間を無くすことができる。
【００６０】
一方、足場用幅木１０を支柱２、２から外す際には、ロックピン３４ａを作業者が上方へ移動させてロック溝１３ｂから離脱させる離脱位置に切り替える。そうすると足場用幅木１０が左方向に移動可能となり、足場用幅木１０を左方向に移動させることで、第１連結具２０の右側上部係合ピン２５の軸部２５ａ及び右側下部係合ピン２６の軸部２６ａが足場用幅木１０の左側上部係合穴１２Ａ及び左側下部係合穴１２Ｂの右側の開口幅の広い部分に位置する。これにより、右側上部係合ピン２５及び右側下部係合ピン２６を左側上部係合穴１２Ａ及び左側下部係合穴１２Ｂから抜くことができる。これと同時に、第２連結具３０の左側上部係合ピン３７及び左側下部係合ピン３８が足場用幅木１０の右側上部係合穴１３Ａ及び右側下部係合穴１３Ｂの右側の開放部分に位置する。これにより、左側上部係合ピン３７及び左側下部係合ピン３８を右側上部係合穴１３Ａ及び右側下部係合穴１３Ｂから抜くことができる。
【００６１】
以上説明したように、この実施形態１によれば、支柱２、２に足場用幅木１０を連結する際の作業性を良好にできるとともに、足場用幅木１０を支柱２、２に確実に連結して足場用幅木が外れないようにすることができる。
【００６２】
また、足場用幅木１０の本体部を網部材１１ｂで構成したので、横風を受けたときの負荷を軽減できる。
【００６３】
尚、左側上部係合穴１２Ａ及び左側下部係合穴１２Ｂの一方を省略してもよい。また、右側上部係合穴１３Ａ及び右側下部係合穴１３Ｂの一方を省略してもよい。
【００６４】
（実施形態２）
図１１は、本発明の実施形態２に係る足場用幅木１０及び連結具Ａを示すものである。実施形態２の足場用幅木１０及び連結具Ａは、実施形態１のものに対して足場用幅木１０の支持構造が異なるだけであり、他の部分は実施形態１のものと同じであるため、以下、実施形態１と同一の部分には同じ符号を付して説明を省略し、異なる部分について詳細に説明する。
【００６５】
図１２に示すように足場用幅木１０の左側連結板部１２の上部及び下部には、それぞれ左側上部係合穴（第１穴）１２Ｄ及び左側下部係合穴（第１穴）１２Ｅが形成されている。左側上部係合穴１２Ｄは、左側連結板部１２において上下方向に延びるように開口する長穴である。左側上部係合穴１２Ｄの下側（左側上部係合穴１２Ｄの長手方向一側）の左縁部及び右縁部は略円弧状に延びており、後述するピンの頭部が挿入可能な大きさとなっている。一方、左側上部係合穴１２Ｄの上側（左側上部係合穴１２Ｄの長手方向他側）の左縁部及び右縁部は、上下方向に延びている。左側上部係合穴１２Ｄの下側の開口幅（左縁部と右縁部との離間寸法）は、上側の開口幅に比べて広く設定されている。左側下部係合穴１２Ｅは、左側上部係合穴１２Ｄと同じ形状である。
【００６６】
左側連結板部１２の左側上部係合穴１２Ｄと左側下部係合穴１２Ｅとの間には、ロック用開口部１２Ｆが形成されている。このロック用開口部１２Ｆは、略矩形状である。
【００６７】
足場用幅木１０の右側連結板部１３の上部及び下部には、それぞれ右側上部係合穴（第１穴）１３Ｄ及び右側下部係合穴（第１穴）１３Ｅが形成されている。右側上部係合穴１３Ｄ及び右側下部係合穴１３Ｅは、それぞれ、左側上部係合穴１２Ｄ及び左側下部係合穴１２Ｅと同じ形状である。また、右側連結板部１３の右側上部係合穴１３Ｄと右側下部係合穴１３Ｅとの間には、ロック用開口部１３Ｆが形成されている。このロック用開口部１３Ｆは、左側のロック用開口部１２Ｆと同じ形状である。
【００６８】
次に、図１３〜図１８に基づいて連結具Ａについて説明する。第１連結具２０の可動板２２には、右側上部係合ピン２５と右側下部係合ピン２６との間に、右側ロック機構４０が設けられている。右側ロック機構４０は、足場用幅木１０の左側ロック用開口部１２Ｆに挿入されて該ロック用開口部１２Ｆの周縁部に係合するロック爪４０ａと、ロック爪４０ａを操作するレバー（ロック爪切替部）４０ｂ、ロック爪４０ａ及びレバー４０ｂを支持する支持部材４０ｃとを備えている。支持部材４０ｃは、可動板２２の裏面に固定されている。
【００６９】
ロック爪４０ａは、可動板２２を表裏方向に貫通して表側へ突出する進出状態と、ロック爪４０ａの先端が可動板２２の表面と同一面上に位置する後退状態との間で進退動作するように、支持部材４０ｃに支持されている。また、支持部材４０ｃの内部には、ロック爪４０ａを常に進出方向に付勢する弾性部材等からなる付勢部材（図示せず）が設けられている。ロック爪４０ａの下面は略水平に延びている。また、ロック爪４０ａの下面よりも上側は、上端に近づくほどロック爪４０ａの後退側に位置するように傾斜している。
【００７０】
レバー４０ｂは、進出状態（係合位置）にあるロック爪４０ａを後退状態（離脱位置）に切り替えるためのものであり、可動板２２の裏側において支持部材４０ｃから側方へ突出し、上下方向に回動可能に支持部材４０ｃに支持されている。支持部材４０ｃの内部には、図示しないが、レバー４０ｂの回動動作を直線運動に変換する変換機構が内蔵されている。この変換機構によってレバー４０ｂの回動動作を直線運動に変換してロック爪４０ａを後退させることができる。変換機構は、従来周知の各種機構を用いることができ、例えばラックピニオン機構やネジ機構を挙げることができる。
【００７１】
また、第１連結具２０の可動板２２には、左側上部係合ピン２７と左側下部係合ピン２８との間に、左側ロック機構４１が設けられている。左側ロック機構４１は、右側ロック機構４０と同様に構成されており、ロック爪４１ａ、レバー４１ｂ及び支持部材４１ｃを有している。
【００７２】
第２連結具３０は第１連結具２０と同様に構成されており、右側ロック機構５０と左側ロック機構５１を有している。左側ロック機構５０のレバー５１ｂを図１９に示す。
【００７３】
次に、上記のように構成された足場用幅木１の連結具Ａを使用して足場用幅木１を支柱２、２に連結する要領について説明する。
【００７４】
まず、図１９に示すように、第１連結具２０のパイプクランプ２１及び第２連結具３０のパイプクランプ３１を支柱２、２にそれぞれ取り付ける。このとき、可動板２２、３２の表面が作業床側に位置するようにしておく。
【００７５】
そして、足場用幅木１０を作業床側から第１連結具２０の可動板２２及び第２連結具３０の可動板３２に支持させる。このとき、足場用幅木１０の左側上部係合穴１２Ｄ及び左側下部係合穴１２Ｅの下側の開口幅の広い部分に、第１連結具２０の右側上部係合ピン２５及び右側下部係合ピン２６を挿入する。また、足場用幅木１０の右側上部係合穴１３Ｄ及び右側下部係合穴１３Ｅの下側の開口幅の広い部分に、第２連結具３０の左側上部係合ピン３７及び左側下部係合ピン３８を挿入する。
【００７６】
この状態で、図２０に示すように足場用幅木１０を下側に移動させる。すると、第１連結具２０の右側上部係合ピン２５の軸部２５ａ及び右側下部係合ピン２６の軸部２６ａが足場用幅木１０の左側上部係合穴１２Ｄ及び左側下部係合穴１２Ｅの上側の開口幅の狭い部分に位置し、これにより、右側上部係合ピン２５の頭部２５ｂ及び右側下部係合ピン２６の頭部２６ｂが、左側上部係合穴１２Ｄ及び左側下部係合穴１２Ｅの周縁部の上側に対して作業床側から係合するので、右側上部係合ピン２５及び右側下部係合ピン２６が左側上部係合穴１２Ｄ及び左側下部係合穴１２Ｅから抜けることはない。また、足場用幅木１０の移動により、第２連結具３０の左側上部係合ピン３７及び左側下部係合ピン３８が足場用幅木１０の右側上部係合穴１３Ｄ及び右側下部係合穴１３Ｅの上側の開口幅の狭い部分に位置し、これにより、左側上部係合ピン３７の頭部及び左側下部係合ピン３８の頭部が、右側上部係合穴１３Ｄ及び右側下部係合穴１３Ｅの周縁部の上側に対して作業床側から係合するので、左側上部係合ピン３７及び左側下部係合ピン３８が右側上部係合穴１３Ｄ及び右側下部係合穴１３Ｅから抜けることはない。
【００７７】
また、足場用幅木１０を下側に移動させると、左側のロック用開口部１２Ｆも下側に移動していく。ロック用開口部１２Ｆがロック爪４０ａに対応する位置にくるとロック爪４０ａが付勢力によってロック用開口部１２Ｆに挿入されて該ロック用開口部１２Ｆの周縁部に係合する係合位置に切り替わる。これにより足場用幅木１０が上側へ移動しなくなる。右側についてもロック機構５１によって同様に足場用幅木１０が上側へ移動しなくなる。このように、足場用幅木１０を下側に移動させるだけなので、連結時の作業性は良好である。
【００７８】
一方、足場用幅木１０を支柱２、２から外す際には、レバー４０ｂを操作してロック爪４０ａを後退させ、ロック用開口部１２Ｆから離脱させる離脱位置に切り替える。右側のロック機構５１も同様に切り替える。そうすると足場用幅木１０が上側に移動可能となり、足場用幅木１０を上側に移動させることで、第１連結具２０の右側上部係合ピン２５の軸部２５ａ及び右側下部係合ピン２６の軸部２６ａが足場用幅木１０の左側上部係合穴１２Ｄ及び左側下部係合穴１２Ｅの下側の開口幅の広い部分に位置する。これにより、右側上部係合ピン２５及び右側下部係合ピン２６を左側上部係合穴１２Ｄ及び左側下部係合穴１２Ｅから抜くことができる。左側上部係合ピン２７及び左側下部係合ピン２８も同様に抜くことができる。
【００７９】
以上説明したように、この実施形態２によれば、支柱２、２に足場用幅木１０を連結する際の作業性を良好にできるとともに、足場用幅木１０を支柱２、２に確実に連結して足場用幅木が外れないようにすることができる。
【００８０】
尚、左側上部係合穴１２Ｄ及び左側下部係合穴１２Ｅの一方を省略してもよい。また、右側上部係合穴１３Ｄ及び右側下部係合穴１３Ｅの一方を省略してもよい。
【００８１】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８２】
以上説明したように、本発明は、例えば仮設足場に足場用幅木を連結する場合に使用することができる。
【符号の説明】
【００８３】
１            仮設足場
２            支柱
４            足場板
１０          足場用幅木
１１ｂ        網部材
１２Ａ        左側上部係合穴（第１幅木側係合穴）
１２Ｄ        左側上部係合穴（第１穴）
１２Ｆ        ロック用開口部
１３Ａ        右側上部係合穴（第２幅木側係合穴）
１３Ｄ        右側上部係合穴（第２穴）
１３Ｆ        ロック用開口部
１３ｂ        ロック溝
２０          第１連結具
２２ｂ        支軸（ロックピン切替部）
２１          パイプクランプ（第１取付部）
２４          アーム（ロックピン切替部）
２５          右側上部係合ピン（第１係合ピン）
２５ｂ        頭部
３０          第２連結具
３１          パイプクランプ（第２取付部）
３４ａ        ロックピン
３７          左側上部係合ピン（第２係合ピン）
３７ｂ        頭部
４０ａ        ロック爪
４０ｂ        レバー（ロック爪切替部）
４１ａ        ロック爪
４１ｂ        レバー（ロック爪切替部）
Ａ            連結具
【図１】
2015189873.tif 000003
【図２】
2015189873.tif 000004
【図３】
2015189873.tif 000005
【図４】
2015189873.tif 000006
【図５】
2015189873.tif 000007
【図６】
2015189873.tif 000008
【図７】
2015189873.tif 000009
【図８】
2015189873.tif 000010
【図９】
2015189873.tif 000011
【図１０】
2015189873.tif 000012
【図１１】
2015189873.tif 000013
【図１２】
2015189873.tif 000014
【図１３】
2015189873.tif 000015
【図１４】
2015189873.tif 000016
【図１５】
2015189873.tif 000017
【図１６】
2015189873.tif 000018
【図１７】
2015189873.tif 000019
【図１８】
2015189873.tif 000020
【図１９】
2015189873.tif 000021
【図２０】
2015189873.tif 000022
【国際調査報告】
2015189873.tif 000023
2015189873.tif 000024
2015189873.tif 000025
2015189873.tif 000026